(57)【要約】【課題】DVB-T2規格のＰ１信号などの到来間隔が不明な信号を検出して復号化する。【解決手段】相関器７１は、直交復調部から供給される信号のＩ成分およびＱ成分の相関値を算出する。最大探索器７２は、相関器７１により算出されたＩ成分およびＱ成分の相関値が表すベクトルの絶対値の最大値を検出する。FFT演算部７５は、最大値が検出されるたびに、キャリア誤差補正部７４から供給される信号のＩ成分およびＱ成分を用いたFFT演算処理をリセットする。本発明は、例えば、DVB-T2信号を受信する受信システムに適用することができる。【選択図】図７
2010283572.tif 000002
【特許請求の範囲】
【請求項１】
フレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、
前記相関値の最大値を検出する最大値検出手段と、
前記最大値検出手段で最大値が検出されたタイミングに基づいて、前記デジタル信号に対する処理を行うデジタル信号処理手段と、
前記最大値が検出されるたびに、前記デジタル信号処理手段における処理をリセットするリセット処理手段と
を備える受信装置。
【請求項２】
前記最大値検出手段は、前記絶対値と基準値を比較し、前記絶対値が前記基準値以上である場合、その絶対値を前記最大値として検出する
請求項１に記載の受信装置。
【請求項３】
前記基準値は、１つ前に検出された前記最大値である
請求項２に記載の受信装置。
【請求項４】
前記最大値を記憶する記憶手段
をさらに備え、
前記デジタル信号処理手段は、前記タイミングに基づいて、前記フレームの先頭部のデジタル信号に対する処理を行い、
前記記憶手段は、前記デジタル信号処理手段における処理が開始してから新たな前記最大値が検出されずに少なくとも前記先頭部に対する処理が終了した後、前記最大値をリセットする
請求項３に記載の受信装置。
【請求項５】
前記記憶手段は、新たな前記最大値が検出されずに所定の個数のデータの前記デジタル信号に対する処理が終了した後、前記最大値をリセットする
請求項４に記載の受信装置。
【請求項６】
前記デジタル信号処理手段は、前記デジタル信号処理手段における処理が開始してから新たな前記最大値が検出されずに少なくとも前記先頭部に対する処理が終了した後、前記記憶手段のリセットをイネーブルにするイネーブル信号を前記記憶手段に出力し、
前記記憶手段は、前記イネーブル信号に応じて前記最大値をリセットする
請求項４に記載の受信装置。
【請求項７】
前記デジタル信号処理手段における処理は、前記フレームの先頭部のデジタル信号に対してFFT演算を行う処理である
請求項４に記載の受信装置。
【請求項８】
前記FFT演算の結果得られるデジタル信号どうしの相関値のピークに基づいて、前記フレームの先頭部のデジタル信号のキャリアの周波数誤差を補正する周波数誤差補正手段
をさらに備える
請求項７に記載の受信装置。
【請求項９】
前記フレームの先頭部のデジタル信号は、DVB-T2規格のP1信号である
請求項１に記載の受信装置。
【請求項１０】
前記第１の区間のデジタル信号の周波数は、前記第２の区間のデジタル信号の周波数と異なり、
前記相関値算出手段は、前記２つの区間のうちの一方の区間の前記デジタル信号の周波数を前記第１の区間または前記第２の区間の周波数に変換し、周波数変換された区間の前記デジタル信号と、周波数変換されない区間の前記デジタル信号の相関値を算出する
請求項９に記載の受信装置。
【請求項１１】
受信装置が、
フレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出ステップと、
前記相関値の最大値を検出する最大値検出ステップと、
前記最大値検出ステップで最大値が検出されたタイミングに基づいて、前記デジタル信号に対する処理を行うデジタル信号処理ステップと、
前記最大値が検出されるたびに、前記デジタル信号処理ステップにおける処理をリセットするリセット処理ステップと
を含む受信方法。
【請求項１２】
フレーム単位で送信されてくる、各フレームの先頭部においてそれぞれ所定期間を占める第１の区間と第２の区間との間で相関を有するデジタル信号に対して処理を実行するコンピュータに、
前記デジタル信号について、前記第１の区間と前記第２の区間の時間間隔だけ離れた２つの区間の信号を抽出して相関値を算出する相関値算出ステップと、
前記相関値の最大値を検出する最大値検出ステップと、
前記最大値検出ステップで最大値が検出されたタイミングに基づいて、前記デジタル信号に対する処理を行うデジタル信号処理ステップと、
前記最大値が検出されるたびに、前記デジタル信号処理ステップにおける処理をリセットするリセット処理ステップと
を含む処理を実行させるプログラム。
【請求項１３】
伝送路より信号を取得する取得手段と、
前記取得手段により取得された信号に対して伝送路復号化処理を行う伝送路復号化処理手段と
を備え、
前記伝送路復号化処理手段は、
前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、
前記相関値の最大値を検出する最大値検出手段と、
前記最大値検出手段で最大値が検出されたタイミングに基づいて、前記デジタル信号に対する処理を行うデジタル信号処理手段と、
前記最大値が検出されるたびに、前記デジタル信号処理手段における処理をリセットするリセット処理手段と
を備える
受信システム。
【請求項１４】
伝送路より取得した信号に対して伝送路復号化処理を行う伝送路復号化処理手段と、
前記伝送路復号化処理手段による伝送路復号化処理後の前記信号に対して情報源復号化処理を行う情報源復号化処理手段と
を備え、
前記伝送路復号化処理手段は、
前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、
前記相関値の最大値を検出する最大値検出手段と、
前記最大値検出手段で最大値が検出されたタイミングに基づいて、前記デジタル信号に対する処理を行うデジタル信号処理手段と、
前記最大値が検出されるたびに、前記デジタル信号処理手段における処理をリセットするリセット処理手段と
を備える
受信システム。
【請求項１５】
伝送路より取得した信号に対して伝送路復号化処理を行う伝送路復号化処理手段と、
前記伝送路復号化処理手段による伝送路復号化処理後の前記信号に基づいて画像または音声を出力する出力手段と
を備え、
前記伝送路復号化処理手段は、
前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、
前記相関値の最大値を検出する最大値検出手段と、
前記最大値検出手段で最大値が検出されたタイミングに基づいて、前記デジタル信号に対する処理を行うデジタル信号処理手段と、
前記最大値が検出されるたびに、前記デジタル信号処理手段における処理をリセットするリセット処理手段と
を備える
受信システム。
【請求項１６】
伝送路より取得した信号に対して伝送路復号化処理を行う伝送路復号化処理手段と、
前記伝送路復号化処理手段による伝送路復号化処理後の前記信号の記録を制御する記録制御手段と
を備え、
前記伝送路復号化処理手段は、
前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、
前記相関値の最大値を検出する最大値検出手段と、
前記最大値検出手段で最大値が検出されたタイミングに基づいて、前記デジタル信号に対する処理を行うデジタル信号処理手段と、
前記最大値が検出されるたびに、前記デジタル信号処理手段における処理をリセットするリセット処理手段と
を備える
受信システム。
【発明の詳細な説明】
【技術分野】
【０００１】
本発明は、受信装置、受信方法、およびプログラム、並びに受信システムに関し、特に、DVB-T2（Digital Video Broadcasting - Terrestrial 2）規格のＰ１信号などの到来間隔が不明な信号を検出して復号化することができるようにした受信装置、受信方法、およびプログラム、並びに受信システムに関する。
【背景技術】
【０００２】
地上デジタル放送の規格としては、例えばDVB-T2規格の策定が進められている(例えば、非特許文献１参照)。
【０００３】
図１は、DVB-T2規格に準拠したデジタル信号の構成例を示す図である。
【０００４】
図１に示すように、DVB-T2規格に準拠したデジタル信号（以下、DVB-T2信号という）のフレームの種類としては、DVB-T2規格に準拠したフレーム(以下、Ｔ２フレームという)と、将来規格化される、DVB-T2規格以外の規格に準拠したフレーム（以下、FEF（Future Extension Frame）パート（part）という）がある。
【０００５】
各フレームの先頭にはＰ１信号が配置される。Ｐ１信号は、フレームのFFT（Fast Fourier Transform）サイズ、通信方式がMISO（Multiple Input Single Output）であるか、SISO(Single Input Single Output)であるかを表す通信方式情報、および、フレームがFEFパートであるかどうかを表す種類情報を表している。Ｔ２フレームでは、Ｐ１信号の後、Ｐ２信号とデータ信号が配置される。即ち、Ｔ２フレームには、Ｐ１信号とＰ２信号がプリアンブルとして配置される先頭部と、データ信号が配置されるデータ部が設けられる。
【０００６】
以上のように、Ｐ１信号はフレームの情報を表すので、DVB-T2信号を復号化する装置は、まず、Ｐ１信号を検出し、即座に復号化する必要がある。
【先行技術文献】
【非特許文献】
【０００７】
【非特許文献１】Frame structure channel coding and modulation for a second generation digital terrestrial television broadcasting system (DVB-T2) 平成２０年６月３０日、DVBのホームページ、［平成２１年５月２７日検索］、インターネット＜URL：http://www.dvb.org/technology/dvbt2/a122.tm3980r5.DVB-T2.pdf＞
【発明の概要】
【発明が解決しようとする課題】
【０００８】
しかしながら、各フレームの受信開始直後において、そのフレームのサイズは不明である。例えば、Ｔ２フレームのサイズは、Ｐ２信号を解析するまで不明である。従って、Ｐ１信号の到来間隔は不明であり、Ｐ１信号の検出範囲を設定することが困難である。よって、例えば、相関値が検出範囲内で最大となる位置を検出位置とする検出方法を用いてＰ１信号を検出することはできない。
【０００９】
本発明は、このような状況に鑑みてなされたものであり、DVB-T2規格のＰ１信号などの到来間隔が不明な信号を検出して復号化することができるようにするものである。
【課題を解決するための手段】
【００１０】
本発明の第１の側面の受信装置は、フレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、前記相関値の最大値を検出する最大値検出手段と、前記最大値検出手段で最大値が検出されたタイミングに基づいて、前記デジタル信号に対する処理を行うデジタル信号処理手段と、前記最大値が検出されるたびに、前記デジタル信号処理手段における処理をリセットするリセット処理手段とを備える受信装置である。
【００１１】
本発明の第１の側面の受信方法およびプログラムは、上述した本発明の第１の側面の受信装置に対応する。
【００１２】
本発明の第１の側面においては、フレーム単位で送信されてくる、各フレームの先頭部においてそれぞれ所定期間を占める第１の区間と第２の区間との間で相関を有するデジタル信号について、第１の区間と第２の区間の時間間隔だけ離れた２つの区間の信号が抽出されて相関値が算出され、その相関値の最大値が検出され、最大値が検出されたタイミングに基づいて、デジタル信号に対する処理が行われ、最大値が検出されるたびに、その処理がリセットされる。
【００１３】
本発明の第２の側面の受信システムは、伝送路より信号を取得する取得手段と、前記取得手段により取得された信号に対して伝送路復号化処理を行う伝送路復号化処理手段とを備え、前記伝送路復号化処理手段は、前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、前記相関値の最大値を検出する最大値検出手段と、前記最大値検出手段で最大値が検出されたタイミングに基づいて、前記デジタル信号に対する処理を行うデジタル信号処理手段と、前記最大値が検出されるたびに、前記デジタル信号処理手段における処理をリセットする処理手段とを備える受信システムである。
【００１４】
本発明の第２の側面においては、伝送路より信号が取得され、その信号に対して伝送路復号化処理が行われる。伝送路復号化処理では、信号のフレーム単位で送信されてくる、各フレームの先頭部においてそれぞれ所定期間を占める第１の区間と第２の区間との間で相関を有するデジタル信号について、第１の区間と第２の区間の時間間隔だけ離れた２つの区間の信号が抽出されて相関値が算出され、その相関値の最大値が検出され、最大値が検出されたタイミングに基づいて、デジタル信号に対する処理が行われ、最大値が検出されるたびに、その処理がリセットされる。
【００１５】
本発明の第３の側面の受信システムは、伝送路より取得した信号に対して伝送路復号化処理を行う伝送路復号化処理手段と、前記伝送路復号化処理手段による伝送路復号化処理後の前記信号に対して情報源復号化処理を行う情報源復号化処理手段とを備え、前記伝送路復号化処理手段は、前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、前記相関値の最大値を検出する最大値検出手段と、前記最大値検出手段で最大値が検出されたタイミングに基づいて、前記デジタル信号に対する処理を行うデジタル信号処理手段と、前記最大値が検出されるたびに、前記デジタル信号処理手段における処理をリセットするリセット処理手段とを備える受信システムである。
【００１６】
本発明の第３の側面においては、伝送路より取得した信号に対して伝送路復号化処理が行われ、伝送路復号化処理後の信号に対して情報源復号化処理が行われる。伝送路復号化処理では、信号のフレーム単位で送信されてくる、各フレームの先頭部においてそれぞれ所定期間を占める第１の区間と第２の区間との間で相関を有するデジタル信号について、第１の区間と第２の区間の時間間隔だけ離れた２つの区間の信号が抽出されて相関値が算出され、その相関値の最大値が検出され、最大値が検出されたタイミングに基づいて、デジタル信号に対する処理が行われ、最大値が検出されるたびに、その処理がリセットされる。
【００１７】
本発明の第４の側面の受信システムは、伝送路より取得した信号に対して伝送路復号化処理を行う伝送路復号化処理手段と、前記伝送路復号化処理手段による伝送路復号化処理後の前記信号に基づいて画像または音声を出力する出力手段とを備え、前記伝送路復号化処理手段は、前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、前記相関値の最大値を検出する最大値検出手段と、前記最大値検出手段で最大値が検出されたタイミングに基づいて、前記デジタル信号に対する処理を行うデジタル信号処理手段と、前記最大値が検出されるたびに、前記デジタル信号処理手段における処理をリセットするリセット処理手段とを備える受信システムである。
【００１８】
本発明の第４の側面においては、伝送路より取得した信号に対して伝送路復号化処理が行われ、伝送路復号化処理後の信号に基づいて画像または音声が出力される。伝送路復号化処理では、信号のフレーム単位で送信されてくる、各フレームの先頭部においてそれぞれ所定期間を占める第１の区間と第２の区間との間で相関を有するデジタル信号について、第１の区間と前記第２の区間の時間間隔だけ離れた２つの区間の信号が抽出されて相関値が算出され、その相関値の最大値が検出され、最大値が検出されたタイミングに基づいて、デジタル信号に対する処理が行われ、最大値が検出されるたびに、その処理がリセットされる。
【００１９】
本発明の第５の側面の受信システムは、伝送路より取得した信号に対して伝送路復号化処理を行う伝送路復号化処理手段と、前記伝送路復号化処理手段による伝送路復号化処理後の前記信号の記録を制御する記録制御手段とを備え、前記伝送路復号化処理手段は、前記信号のフレーム単位で送信されてくる、各フレームの先頭部においてそれぞれ所定期間を占める第１の区間と第２の区間との間で相関を有するデジタル信号について、前記第１の区間と前記第２の区間の時間間隔だけ離れた２つの区間の信号を抽出して相関値を算出する相関値算出手段と、前記相関値の最大値を検出する最大値検出手段と、前記最大値検出手段で最大値が検出されたタイミングに基づいて、前記デジタル信号に対する処理を行うデジタル信号処理手段と、前記最大値が検出されるたびに、前記デジタル信号処理手段における処理をリセットするリセット処理手段とを備える受信システムである。
【００２０】
本発明の第５の側面においては、伝送路より取得した信号に対して伝送路復号化処理が行われ、伝送路復号化処理後の信号の記録が制御される。伝送路復号化処理では、信号のフレーム単位で送信されてくる、各フレームの先頭部においてそれぞれ所定期間を占める第１の区間と第２の区間との間で相関を有するデジタル信号について、第１の区間と第２の区間の時間間隔だけ離れた２つの区間の信号が抽出されて相関値が算出され、その相関値の最大値が検出され、最大値が検出されたタイミングに基づいて、デジタル信号に対する処理が行われ、最大値が検出されるたびに、その処理がリセットされる。
【発明の効果】
【００２１】
以上のように、本発明によれば、DVB-T2規格のＰ１信号などの到来間隔が不明な信号を検出して復号化することができる。
【図面の簡単な説明】
【００２２】
【図１】DVB-T2規格に準拠したデジタル信号の構成例を示す図である。
【図２】DVB-T2信号を送信する送信システムの構成例を示すブロック図である。
【図３】情報送信用キャリアを説明する図である。
【図４】Ｐ１信号の構成例を示す図である。
【図５】送信システムによるＰ１信号送信処理を説明するフローチャートである。
【図６】本発明を適用した受信システムの第１実施の形態の構成例を示すブロック図である。
【図７】Ｐ１復号化処理部の詳細構成例を示すブロック図である。
【図８】相関器の詳細構成例を示すブロック図である。
【図９】遅延前の相関値Ｂおよび相関値Ｃを説明する図である。
【図１０】遅延後の相関値Ｂ、相関値Ｃ、および出力相関値を示す図である。
【図１１】最大探索器の詳細構成例を示すブロック図である。
【図１２】Ｐ１検出フラグを説明する図である。
【図１３】図７のＰ１復号化処理部による処理の流れを示すタイミングチャートである。
【図１４】受信システムによるＰ１復調処理を説明するフローチャートである。
【図１５】受信システムによるＰ１復調処理を説明するフローチャートである。
【図１６】図１４のステップＳ３７のＰ１検出処理を説明するフローチャートである。
【図１７】最大相関器の他の詳細構成例を示すブロック図である。
【図１８】本発明を適用した受信システムの第２実施の形態の構成例を示すブロック図である。
【図１９】パーソナルコンピュータの構成例を示す図である。
【発明を実施するための形態】
【００２３】
＜本発明の前提＞
［送信システムの構成例］
図２は、DVB-T2信号を送信する送信システム１０の構成例を示すブロック図である。
【００２４】
図２の送信システム１０は、Ｐ１符号化処理部１１、データ符号化処理部１２、直交変調部１３、D/A変換部１４、周波数変換部１５、およびアンテナ１６により構成される。送信システム１０は、例えば、地上デジタル放送、衛星デジタル放送などのDVB-T2信号を送信する。
【００２５】
Ｐ１符号化処理部１１は、384ビット信号生成部２１、DBPSK（Differential Binary Phase Shift Keying）変調部２２、スクランブル部２３、１Ｋキャリア生成部２４、CDSテーブル２５、IFFT（Inverse Fast Fourier Transform）演算部２６、およびＰ１信号生成部２７により構成され、Ｐ１信号を生成する。
【００２６】
384ビット信号生成部２１には、フレームのFFTサイズ、通信方式情報、および種類情報のいずれかを表すＳ１信号およびＳ２信号が入力される。384ビット信号生成部２１は、Ｓ１信号およびＳ２信号を、所定の０，１系列にマッピングし、384ビットの信号を生成する。
【００２７】
DBPSK変調部２２は、384ビット信号生成部２１により生成された384ビットの信号に対してDBPSK変調を行い、その結果得られるＩ成分とＱ成分からなるDBPSK変調信号をスクランブル部２３に供給する。
【００２８】
スクランブル部２３は、DBPSK変調部２２から供給されるDBPSK変調信号をＭ系列で暗号化する。
【００２９】
１Ｋキャリア生成部２４は、CDSテーブル２５に記憶されている有効キャリア番号を読み出し、その有効キャリア番号を参照して、スクランブル部２３により暗号化されたＩ成分とＱ成分からなるDBPSK変調信号を１Ｋのキャリアにマッピングする。CDSテーブル２５は、１Ｋのキャリアのうちの有効キャリアの番号を記憶している。
【００３０】
IFFT演算部２６は、１Ｋキャリア生成部２４により１Ｋのキャリアにマッピングされた結果得られるＩ成分とＱ成分からなる１Ｋ信号に対してIFFT演算を行い、その結果得られるＩ成分とＱ成分からなるIFFT信号をＰ１信号生成部２７に供給する。
【００３１】
Ｐ１信号生成部２７は、IFFT演算部２６から供給されるIFFT信号を用いて、Ｉ成分とＱ成分からなるＰ１信号を生成し、直交変調部１３に供給する。
【００３２】
データ符号化処理部１２は、外部から入力されるフレームサイズなどを表す信号や放送信号に対して、DBPSK変調、暗号化、１Ｋのキャリアへのマッピング、IFFT演算などの符号化処理を行い、Ｐ２信号やデータ信号のＩ成分およびＱ成分を生成する。そして、データ符号化処理部１２は、Ｉ成分およびＱ成分からなるＰ２信号やデータ信号を直交変調部１３に供給する。
【００３３】
直交変調部１３は、Ｐ１信号生成部２７から供給されるＰ１信号、および、データ符号化処理部１２から供給されるＰ２信号やデータ信号からなるDVB-T2信号に対して直交変調を行う。
【００３４】
D/A変換部１４は、直交変調部１３による直交変調の結果得られるDVB-T2信号に対してD/A変換を行い、その結果得られるアナログ信号を周波数変換部１５に供給する。
【００３５】
周波数変換部１５は、D/A変換部１４から供給されるアナログ信号に対して周波数変換を行い、ＲＦ（Radio Frequency）信号を得る。このＲＦ信号は、アンテナ１６を介して地上波や衛星波といった伝送路を用いて送信される。
【００３６】
［有効キャリアの説明］
図３は、１Ｋキャリア生成部２４により生成される１Ｋ信号のキャリアのうちの情報送信用キャリアを説明する図である。
【００３７】
図３に示すように、１Ｋ信号の1024本のキャリアのうち、853本のキャリアが、情報送信用キャリアとして割り当てられる。そして、この情報送信用キャリアのうちの384本のキャリアが有効キャリアとして割り当てられ、実質的な情報を送信するキャリアとして使用される。
【００３８】
[Ｐ１信号の説明]
図４は、Ｐ１信号の構成例を示す図である。
【００３９】
図４に示すように、Ｐ１信号はＣ−Ａ−Ｂ構造となっており、Ｐ１信号の実情報部Ａの前に、実情報部Ａの一部分が重複して重複部Ｃとして配置され、実情報部Ａの後に、実情報部Ａの重複部Ｃ以外の部分が重複して重複部Ｂとして配置される。即ち、Ｐ１信号には、実情報部Ａの区間と、その実情報部Ａの区間と相関を有する重複部ＢおよびＣの区間が設けられている。なお、重複部Ｃおよび重複部Ｂは、実情報部Ａに対して周波数ｆＳＨだけ周波数を高くして、挿入される。
【００４０】
［送信システムの処理の説明］
図５は、送信システム１０によるＰ１信号送信処理を説明するフローチャートである。
【００４１】
図５のステップＳ１１において、384ビット信号生成部２１は、外部から入力されるＳ１信号およびＳ２信号を、所定の０，１系列にマッピングし、384ビットの信号を生成する。
【００４２】
ステップＳ１２において、DBPSK変調部２２は、384ビット信号生成部２１により生成された384ビットの信号に対してDBPSK変調を行い、その結果得られるDBPSK変調信号をスクランブル部２３に供給する
【００４３】
ステップＳ１３において、スクランブル部２３は、DBPSK変調部２２から供給されるDBPSK変調信号をＭ系列で暗号化する。
【００４４】
ステップＳ１４において、１Ｋキャリア生成部２４は、CDSテーブル２５に記憶されている有効キャリア番号を読み出し、その有効キャリア番号を参照して、スクランブル部２３により暗号化されたDBPSK変調信号を１Ｋのキャリアにマッピングする。
【００４５】
ステップＳ１５において、IFFT演算部２６は、１Ｋキャリア生成部２４により１Ｋのキャリアにマッピングされた結果得られる１Ｋ信号に対してIFFT演算を行い、その結果得られるIFFT信号をＰ１信号生成部２７に供給する。
【００４６】
ステップＳ１６において、Ｐ１信号生成部２７は、IFFT演算部２６から供給されるIFFT信号を用いて、Ｃ−Ａ−Ｂ構造のＰ１信号を生成し、直交変調部１３に供給する。
【００４７】
ステップＳ１７において、直交変調部１３は、Ｐ１信号生成部２７から供給されるＰ１信号に対して直交変調を行う。
【００４８】
ステップＳ１８において、D/A変換部１４は、直交変調部１３による直交変調の結果得られる信号に対してD/A変換を行い、その結果得られるアナログ信号を周波数変換部１５に供給する。
【００４９】
ステップＳ１９において、周波数変換部１５は、D/A変換部１４から供給されるアナログ信号に対して周波数変換を行い、ＲＦ信号を得る。
【００５０】
ステップＳ２０において、アンテナ１６は、周波数変換部１５により得られたＰ１信号のＲＦ信号を送信し、処理を終了する。
【００５１】
＜第１実施の形態＞
［受信システムの第１実施の形態の構成例］
図６は、本発明を適用した受信システムの第１実施の形態の構成例を示すブロック図である。
【００５２】
図６の受信システム５０は、アンテナ５１、周波数変換部５２、局部発振部５３、A/D変換部５４、直交復調部５５、局部発振部５６、Ｐ１復号化処理部５７、データ復号化処理部５８、および出力部５９により構成される。
【００５３】
アンテナ５１は、図２の送信システム１０から送信されてくるDVB-T2信号のＲＦ信号を取得し、そのＲＦ信号を周波数変換部５２に供給する。
【００５４】
周波数変換部５２は、アンテナ５１から供給されるＲＦ信号と、局部発振部５３から供給される発振周波数（ＦＮＣ+ＢＷ）の搬送波を乗算し、ＲＦ信号を中心周波数ＦＮＣのＩＦ信号に変換する。周波数変換部５２は、このＩＦ信号をA/D変換部５４に供給する。
【００５５】
局部発振部５３は、発振周波数（ＦＮＣ+ＢＷ）の搬送波を生成し、その搬送波を周波数変換部５２に供給する。
【００５６】
A/D変換部５４は、周波数変換部５２から供給されるＩＦ信号に対してA/D変換を行い、その結果得られるデジタル化されたＩＦ信号を直交復調部５５に供給する。
【００５７】
直交復調部５５は、A/D変換部５４から供給されるＩＦ信号を、局部発振部５６から供給される発振周波数ＢＷの搬送波を用いて直交復調する。直交復調部５５は、直交復調の結果得られるＩ成分とＱ成分からなる信号をＰ１復号化処理部５７とデータ復号化処理部５８に供給する。局部発振部５６は、発振周波数ＢＷの搬送波を生成し、その搬送波を直交復調部５５に供給する。
【００５８】
Ｐ１復号化処理部５７は、直交復調部５５から供給される信号からＰ１信号を検出し、そのＰ１信号を復号化する。Ｐ１復号化処理部５７の詳細については、後述する図７を参照して説明する。
【００５９】
データ復号化処理部５８は、Ｐ１復号化処理部５７による復号化の結果得られるＳ１信号およびＳ２信号を用いて、直交復調部５５から供給される信号からＰ２信号やデータ信号を検出し、復号化する。データ復号化処理部５８は、復号化の結果得られる放送信号を出力部５９に供給する。
【００６０】
出力部５９は、ディスプレイ、スピーカなどにより構成される。出力部５９は、データ復号化処理部５８から供給される放送信号に基づいて、画像を表示したり、音声を出力したりする。
【００６１】
[Ｐ１復号化処理部の詳細構成例]
図７は、Ｐ１復号化処理部５７の詳細構成例を示すブロック図である。
【００６２】
図７に示すように、Ｐ１復号化処理部５７は、相関器７１、最大探索器７２、遅延部７３、キャリア誤差補正部７４、FFT演算部７５、CDS相関器７６、およびデコード部７７により構成される。
【００６３】
相関器７１は、図６の直交復調部５５から供給される信号のＩ成分およびＱ成分それぞれの相関値を求める。具体的には、相関器７１は、Ｉ成分およびＱ成分それぞれについて、直交復調部５５から供給される信号の重複部Ｃと実情報部Ａの一部分の時間間隔だけ離れた２つの区間の信号の相関値と、重複部Ｂと実情報部Ａの他の部分の時間間隔だけ離れた２つの区間の信号の相関値の乗算値を求める。そして、相関器７１は、求められた相関値を最大探索器７２に供給する。相関器７１の詳細については、後述する図８等を参照して説明する。
【００６４】
最大探索器７２は、相関器７１から供給されるＩ成分の相関値およびＱ成分の相関値を用いてＰ１信号の検出処理を行い、その処理結果を表すＰ１検出フラグをキャリア誤差補正部７４とFFT演算部７５に供給する。また、最大探索器７２は、相関器７１から供給されるＩ成分の相関値とＱ成分の相関値が表す位相を用いて、正常な各キャリアの周波数に対する、実際にＰ１復号化処理部５７に入力された信号の各キャリアの周波数のキャリア単位より小さい単位のずれ量(以下、小単位オフセット量という)を求める。そして、最大探索器７２は、小単位オフセット量をキャリア誤差補正部７４に供給する。最大探索器７２の詳細については、後述する図１１等を参照して説明する。
【００６５】
遅延部７３は、直交復調部５５から供給される信号のＩ成分およびＱ成分を、相関器７１における遅延分だけ遅延させ、キャリア誤差補正部７４に供給する。
【００６６】
キャリア誤差補正部７４は、最大探索器７２からのＰ１検出フラグがＰ１信号の検出の有りを表す場合、小単位オフセット量に基づいて、遅延部７３から供給される信号のキャリアの周波数誤差を補正し、ＦＦＴ演算部７５に供給する。また、キャリア誤差補正部７４は、Ｐ１検出フラグがＰ１信号の検出の無しを表す場合、直前のＰ１信号の検出の有りを表すＰ１検出フラグとともに供給されてきた小単位オフセット量に基づいて、遅延部７３からの信号のキャリアの周波数誤差を補正し、ＦＦＴ演算部７５に供給する。
【００６７】
FFT演算部７５は、最大探索器７２から供給されるＰ１検出フラグに基づいて、キャリア誤差補正部７４から供給される1024個のデータの信号のＩ成分およびＱ成分に対してFFT演算を行い、その結果得られる1024個のデータの信号のＩ成分およびＱ成分をCDS相関器７６に供給する。また、FFT演算部７５は、FFT演算結果の出力開始時にシンボルスタート信号をCDS相関器７６に供給する。
【００６８】
CDS相関器７６は、FFT演算部７５からのシンボルスタート信号に応じて、図示せぬメモリに記憶されている有効キャリア番号を参照して、FFT演算部７５から供給される1024個のデータの信号のＩ成分およびＱ成分から、有効キャリアの384個のデータの信号のＩ成分およびＱ成分を抽出し、デコード部７７に供給する。また、CDS相関器７６は、384個のデータの信号の出力開始時にシンボルスタート信号をデコード部７７に供給する。
【００６９】
また、CDS相関器７６は、FFT演算部７５からのシンボルスタート信号に応じて、FFT演算部７５から供給される1024個のデータの信号どうしのＩ成分およびＱ成分の相関値を求める。CDS相関器７６は、その相関値に基づいて、キャリア単位のオフセット量Ｆｏｆｆｓｅｔ（以下、大単位オフセット量という）を求める。この大単位オフセット量Ｆｏｆｆｓｅｔは、局部発振部５３（図６）に供給される。これにより、局部発振部５３で生成される搬送波の中心周波数ＦＮＣが、ＦＮＣ＋Ｆｏｆｆｓｅｔに変更される。その結果、Ｐ１復号化処理部５７に入力される信号のキャリアのキャリア単位の周波数誤差が補正される。
【００７０】
以上のようにして、相関器７１、最大探索器７２、遅延部７３、キャリア誤差補正部７４、FFT演算部７５、およびCDS相関器７６は、伝送路に関する復号化処理である伝送路復号化処理を行う。
【００７１】
デコード部７７は、CDS相関器７６からのシンボルスタート信号に基づいて、CDS相関器７６から供給される384個のデータの信号のＩ成分およびＱ成分に対して、復号化、DBPSK復調、並びに、Ｓ１信号およびＳ２信号の抽出処理を行う。なお、デコード部７７による復号化は、図２のスクランブル部２３による暗号化に対応するものであり、DBPSK復調は、図２のDBPSK変調部２２によるDBPSK変調に対応するものであり、Ｓ１信号およびＳ２信号の抽出処理は、図２の384ビット信号生成部２１によるマッピングに対応するものである。
【００７２】
また、デコード部７７は、抽出されたＳ１およびＳ２を出力するとともに、最大探索器７２のレジスタ１１３（後述する図１１）のリセットをイネーブルにするイネーブルフラグをレジスタ１１３に出力する。
【００７３】
以上のようにして、デコード部７７は、信号が表す情報に関する復号化処理である情報源復号化処理を行う。
【００７４】
[相関器の説明]
図８は、相関器７１の詳細構成例を示すブロック図である。
【００７５】
なお、図８では、相関器７１のうちのＩ成分の相関値を求める部分の構成例について示している。相関器７１のうちのＱ成分の相関値を求める部分の構成は、図８に示す構成と同様であるので、図示は省略する。
【００７６】
図８において、相関器７１は、周波数シフト器９１、遅延回路９２、乗算器９３、移動平均回路９４、遅延回路９５、遅延回路９６、乗算器９７、移動平均回路９８、および乗算器９９により構成される。
【００７７】
周波数シフト器９１は、直交復調部５５から供給される所定の区間の信号のＩ成分と、ｅの（−ｊ２πｆＳＨｔ）乗を乗算することにより、そのＩ成分の周波数が周波数ｆＳＨだけ低くなるように周波数変換を行う。これにより、直交復調部５５から供給される信号がＰ１信号である場合、そのＰ１信号の重複部Ｃおよび重複部Ｂの周波数が、実情報部Ａの元の周波数と同一となる。周波数シフト器９１は、周波数ｆＳＨだけ周波数が低くされたＩ成分を遅延回路９２に供給する。
【００７８】
遅延回路９２は、周波数シフト器９１から供給されるＩ成分を、Ｐ１信号の重複部Ｃの長さＴｃ分だけ遅延し、乗算器９３に供給する。
【００７９】
乗算器９３には、直交復調部５５から直交復調の結果得られる信号のＩ成分が入力されるとともに、遅延回路９２により遅延されたＩ成分が入力される。乗算器９３は、入力されたＩ成分どうしを乗算し、その乗算結果を移動平均回路９４に供給する。即ち、乗算器９３は、直交復調の結果得られる信号の所定の区間のＩ成分と、その区間と異なる区間の周波数変換後の信号のＩ成分との相関値を求め、移動平均回路９４に供給する。
【００８０】
移動平均回路９４は、乗算器９３から供給される乗算結果の移動平均値を求め、その結果を相関値Ｃとして遅延回路９５に供給する。
【００８１】
遅延回路９５は、遅延回路９５からの相関値Ｃが移動平均回路９８からの相関値Ｂと同時に乗算器９９に入力されるように、移動平均回路９４から供給される相関値Ｃを遅延させる。遅延回路９５は、遅延後の相関値Ｃを乗算器９９に供給する。
【００８２】
遅延回路９６は、直交復調部５５から供給される所定の区間の信号のＩ成分を、Ｐ１信号の重複部Ｂの長さＴｂ分だけ遅延させ、乗算器９７に供給する。
【００８３】
乗算器９７は、周波数シフト器９１から供給されるＩ成分と遅延回路９６からのＩ成分を乗算し、乗算結果を移動平均回路９８に供給する。即ち、乗算器９７は、直交復調の結果得られる信号の所定の区間のＩ成分と、その区間と異なる区間の周波数変換後の信号のＩ成分との相関値を求め、移動平均回路９８に供給する。
【００８４】
移動平均回路９８は、乗算器９７から供給される乗算結果の移動平均値を求め、その結果を相関値Ｂとして乗算器９９に供給する。
【００８５】
乗算器９９は、遅延回路９５からの相関値Ｃと移動平均回路９８からの相関値Ｂを乗算し、乗算結果をＩ成分の相関値として最大探索器７２に供給する。
【００８６】
図９は、直交復調部５５から入力される信号がＰ１信号である場合の遅延前の相関値Ｂおよび相関値Ｃを説明する図であり、図１０は、この場合の遅延後の相関値Ｂ、相関値Ｃ、および出力相関値を示す図である。
【００８７】
図９に示すように、直交復調部５５から入力される信号がＰ１信号である場合、遅延回路９２から出力されるＰ１信号は、直交復調部５５から入力されるＰ１信号の実情報部Ａの開始時刻から開始される。また、遅延回路９２から出力されるＰ１信号の重複部Ｃと重複部Ｂの周波数は、直交復調部５５から入力されるＰ１信号の実情報部Ａの周波数と同一となる。
【００８８】
また、遅延回路９６から出力されるＰ１信号は、直交復調部５５から入力されるＰ１信号の実情報部Ｂの終端位置と、遅延回路９６から出力されるＰ１信号の重複部Ｂの開始位置とが一致する信号となる。
【００８９】
以上により、図９に示すように、相関値Ｃは、直交復調部５５から入力されるＰ１信号の実情報部Ａの開始位置から長さＴｃの間所定の傾きで増加し、その後長さＴｒ−Ｔｃの間一定となり、その後長さＴｃの間所定の傾きで減少する。なお、長さＴｒとは、実情報部Ａの長さである。
【００９０】
また、図９に示すように、相関値Ｂは、直交復調部５５から入力されるＰ１信号の重複部Ｂの開始位置から長さＴｂの間所定の傾きで増加し、その後長さＴｒ−Ｔｂの間一定となり、その後長さＴｂの間所定の傾きで減少する。
【００９１】
以上のような相関値Ｃは遅延回路９５で遅延されることにより、図１０に示すように、相関値Ｂと増加開始タイミングが同一となる。従って、相関値７１から出力される相関値は、図１０に示すように、長さＴｂの間増加し、その後所定の傾きで２Ｋ（＝Ｔｃ−Ｔｂ）の間増加する。その後、相関値７１から出力される相関値は、長さＴｂの間一定となり、その後長さＴｂの間減少する。
【００９２】
[最大探索器の説明]
図１１は、最大探索器７２の詳細構成例を示すブロック図である。
【００９３】
図１１に示すように、最大探索器７２は、絶対値演算部１１１、選択部１１２、レジスタ１１３、比較部１１４および１１５、ＡＮＤ回路１１６、並びにオフセット検出部１１７により構成される。
【００９４】
絶対値演算部１１１は、相関器７１から供給されるＩ成分およびＱ成分の相関値が表すベクトルの絶対値Ｘを求め、選択部１１２並びに比較部１１４および１１５に供給する。
【００９５】
選択部１１２は、ＡＮＤ回路１１６から供給されるＰ１検出フラグに基づいて、絶対値演算部１１１から供給される絶対値Ｘと、レジスタ１１３から出力される現時点で最大の絶対値Ｙのうちのいずれか一方を選択し、レジスタ１１３に供給する。
【００９６】
レジスタ１１３は、選択部１１２から供給される絶対値を、現時点で最大の絶対値Ｙとして記憶する。また、レジスタ１１３は、保持している絶対値Ｙを選択部１１２と比較部１１４に供給する。さらに、レジスタ１１３は、デコード部７７（図７）から出力されるイネーブルフラグに応じて、保持している絶対値Ｙを０にリセットする。
【００９７】
比較部１１４は、絶対値演算部１１１から供給される絶対値Ｘと、レジスタ１１３から供給される基準値としての現時点で最大の絶対値Ｙとを比較し、比較結果をＡＮＤ回路１１６に供給する。
【００９８】
比較部１１５は、絶対値演算部１１１から供給される絶対値Ｘと、外部から入力される閾値Ｚとを比較し、比較結果をＡＮＤ回路１１６に供給する。閾値Ｚは、例えば、Ｐ１復号化処理部５７に内蔵する図示せぬメモリに予め保持されている。
【００９９】
ＡＮＤ回路１１６は、比較部１１４からの比較結果が、絶対値Ｘが現時点での最大の絶対値Ｙ以上であることを表し、かつ、比較部１１５からの比較結果が、絶対値Ｘが閾値Ｚ以上であることを表す場合、Ｐ１信号の検出の有りを表すＨレベルの信号をＰ１検出フラグとして出力する。即ち、ＡＮＤ回路１１６は、絶対値Ｘが現時点での最大の絶対値となり、かつ、絶対値Ｘが閾値Ｚ以上である場合、Ｈレベルの信号をＰ１検出フラグとして出力する。
【０１００】
一方、ＡＮＤ回路１１６は、それ以外の場合、Ｐ１信号の検出の無しを表すＬレベルの信号をＰ１検出フラグとして出力する。
【０１０１】
オフセット検出部１１７は、相関器７１から供給されるＩ成分の相関値とＱ成分の相関値が表す位相を用いて小単位オフセット量を求め、キャリア誤差補正部７４（図７）に供給する。
【０１０２】
図１２は、Ｐ１検出フラグを説明する図である。
【０１０３】
図１２の例では、図１２Ａに示すように、相関器７１から出力されるＩ成分の相関値とＱ成分の相関値が、それぞれ、図１０で説明したＩ成分の相関値と同一となっている。即ち、相関器７１から出力されるＩ成分の相関値とＱ成分の相関値は、それぞれ、長さＴｂの間増加し、その後所定の傾きで２Ｋの間増加し、長さＴｂの間一定となり、長さＴｂの間減少する。
【０１０４】
この場合、相関器７１から出力されるＩ成分の相関値とＱ成分の相関値の増加開始時から長さＴｂ＋２Ｋの間、Ｉ成分の相関値とＱ成分の相関値は増加するので、図１２Ｂに示すように、Ｐ１検出フラグのレベルはＨレベルとなる。その後、長さＴｂの間、Ｉ成分の相関値とＱ成分の相関値は一定となるが、ノイズなどの影響により、Ｐ１検出フラグのレベルはＨレベルになったり、Ｌレベルになったりする。そして、次の長さＴｂの間では、Ｉ成分の相関値とＱ成分の相関値は減少するので、Ｐ１検出フラグはＬレベルとなる。
【０１０５】
[Ｐ１復号化処理部による処理の流れ]
図１３は、図７のＰ１復号化処理部５７による処理の流れを示すタイミングチャートである。
【０１０６】
図１３Ａに示すように、遅延部７３からキャリア誤差補正部７４に出力されるｉ番目のＩ成分の信号をＩｉと表し、Ｑ成分の信号をＱiと表す。
【０１０７】
キャリア誤差補正部７４は、最大探索器７２から供給されるＰ１検出フラグがＨレベルである場合、そのＰ１検出フラグとともに最大探索器７２から供給された小単位オフセット量Ｆを用いて、遅延部７３から入力される信号のキャリアの周波数誤差を補正するための位相を表す信号Ｐを生成する。一方、キャリア誤差補正部７４は、最大探索器７２から供給されるＰ１検出フラグがＬレベルである場合、直前のＨレベルのＰ１検出フラグとともに最大探索器７２から供給された小単位オフセット量Ｆを用いて信号Ｐを生成する。
【０１０８】
具体的には、図１３の例では、図１３Ｂに示すように、最大探索器７２から出力されるＰ１検出フラグが、３番目乃至５番目、７番目、９番目、１０番目、および１２番目の信号に対してＨレベルとなり、それ以外の信号に対してＬレベルとなっている。
【０１０９】
従って、例えば、キャリア誤差補正部７４は、遅延部７３からの３番目乃至５番目の信号に対して、それぞれ、３番目乃至５番目の信号に対する小単位オフセット量Ｆ３乃至Ｆ５に対応する位相を表す信号Ｐ３乃至Ｐ５を生成する。また、キャリア誤差補正部７４は、遅延部７３からの６番目の信号に対して、直前のＨレベルのＰ１検出フラグに対応する５番目の信号に対する小単位オフセット量Ｆ５を用いて信号Ｐ６を生成する。即ち、信号Ｐ６は信号Ｐ５と同一である。
【０１１０】
キャリア誤差補正部７４は、以上のようにして生成された信号Ｐに基づいて、遅延部７３から入力される信号のキャリアの周波数誤差を補正し、FFT演算部７５に供給する。
【０１１１】
FFT演算部７５は、最大探索器７２から供給されるＰ１検出フラグがＨレベルである場合、キャリア誤差補正部７４からの信号を０番目の信号とする。そして、FFT演算部７５は、Ｐ１検出フラグがＬレベルになった場合、キャリア誤差補正部７４からの信号を１番目の信号とする。それ以降、Ｐ１検出フラグがＬレベルのままである場合、キャリア誤差補正部７４からの信号の番号が２から順に増加される。一方、番号が１０２３になるまでにＰ１検出フラグがＨレベルとなった場合、番号が０にリセットされる。
【０１１２】
具体的には、図１３Ｅに示すように、キャリア誤差補正部７４から３番目の信号が供給される場合、Ｐ１検出フラグのレベルがＨレベルであるので、FFT演算部７５は、その信号を０番目の信号とする。そして、キャリア誤差補正部７４から４番目、５番目の信号が供給される場合も、Ｐ１検出フラグのレベルがＨレベルであるので、FFT演算部７５は、その信号を０番目の信号とする。
【０１１３】
次に、キャリア誤差補正部７４から６番目の信号が供給される場合、Ｐ１検出フラグのレベルがＬレベルであるので、FFT演算部７５は、その信号を１番目の信号とする。そして、キャリア誤差補正部７４から７番目の信号が供給される場合、Ｐ１検出フラグのレベルがＨレベルであるので、FFT演算部７５は、その信号を再度０番目の信号とする。
【０１１４】
次に、キャリア誤差補正部７４から８番目の信号が供給される場合、Ｐ１検出フラグのレベルがＬレベルであるので、FFT演算部７５は、その信号を１番目の信号とする。そして、キャリア誤差補正部７４から９番目の信号が供給される場合、Ｐ１検出フラグのレベルがＨレベルであるので、FFT演算部７５は、その信号を再度０番目の信号とする。次に、キャリア誤差補正部７４から１０番目の信号が供給される場合、Ｐ１検出フラグのレベルがＨレベルであるので、FFT演算部７５は、その信号を再度０番目の信号とする。
【０１１５】
そして、キャリア誤差補正部７４から１１番目の信号が供給される場合、Ｐ１検出フラグのレベルがＬレベルであるので、FFT演算部７５は、その信号を１番目の信号とする。次に、キャリア誤差補正部７４から１２番目の信号が供給される場合、Ｐ１検出フラグのレベルがＨレベルであるので、FFT演算部７５は、その信号を再度０番目の信号とする。
【０１１６】
そして、キャリア誤差補正部７４から１３番目の信号が供給される場合、Ｐ１検出フラグのレベルがＬレベルであるので、FFT演算部７５は、その信号を１番目の信号とする。次に、キャリア誤差補正部７４から１４番目の信号が供給される場合、Ｐ１検出フラグのレベルがＬレベルであるので、FFT演算部７５は、その信号を２番目の信号とする。以降、Ｐ１検出フラグのレベルがＬレベルであるので、FFT演算部７５は、キャリア誤差補正部７４からの信号の番号を増加させる。
【０１１７】
番号が１０２３になった場合、FFT演算部７５は、０から１０２３までの番号が付与されたキャリア誤差補正部７４からの信号に対してFFT演算を行い、１０２４個のデータの信号を得る。以上のように、FFT演算部７５は、Ｐ１検出フラグを後ろを優先して用いてFFT演算を行う。
【０１１８】
[受信システムの処理の説明]
図１４および図１５は、受信システム５０によるＰ１復調処理を説明するフローチャートである。
【０１１９】
ステップＳ３１において、図６の局部発振部５３および５６は、帯域幅ＢＷを選択する。ステップＳ３２において、局部発振部５３は、中心周波数ＦＮＣを選択する。ステップＳ３３において、周波数変換部５２は、アンテナ５１により受信されたＲＦ信号と、局部発振部５３から供給される発振周波数（ＦＮＣ+ＢＷ）の搬送波を乗算し、ＲＦ信号を中心周波数ＦＮＣのＩＦ信号に変換する。周波数変換部５２は、このＩＦ信号をA/D変換部５４に供給する。
【０１２０】
ステップＳ３４において、A/D変換部５４は、周波数変換部５２から供給されるＩＦ信号に対してA/D変換を行い、その結果得られるデジタル化されたＩＦ信号を直交復調部５５に供給する。
【０１２１】
ステップＳ３５において、直交復調部５５は、A/D変換部５４から供給されるＩＦ信号を、局部発振部５６から供給される搬送波を用いて直交復調する。直交復調部５５は、直交復調の結果得られるＩ成分とＱ成分からなる信号をＰ１復号化処理部５７とデータ復号化処理部５８に供給する。
【０１２２】
ステップＳ３６において、Ｐ１復号化処理部５７の相関器７１（図７）は、直交復調部５５から供給される信号のＩ成分およびＱ成分それぞれの相関値を求め、最大探索器７２に供給する。また、遅延部７３は、直交復調部５５から供給される信号のＩ成分およびＱ成分それぞれの相関値を所定の時間だけ遅延させ、キャリア誤差補正部７４に供給する。
【０１２３】
ステップＳ３７において、最大探索器７２は、Ｐ１信号を検出するＰ１検出処理を行う。このＰ１検出処理の詳細は、後述する図１６を参照して説明する。
【０１２４】
ステップＳ３８において、FFT演算部７５は、ステップＳ３７のＰ１検出処理により最大探索器７２から供給されるＰ１検出フラグのレベルがＨレベルであるかどうかを判定する。ステップＳ３８でＰ１検出フラグのレベルがＨレベルであると判定された場合、ステップＳ３９において、キャリア誤差補正部７４は、最大探索器７２から供給される現在の信号に対する小単位オフセット量に基づいて、遅延部７３から供給される信号のキャリアの周波数誤差を補正し、FFT演算部７５に供給する。
【０１２５】
ステップＳ４０において、FFT演算部７５は、キャリア誤差補正部７４から供給される信号に付与する番号の値Ｎを０に設定する。即ち、FFT演算部７５はFFT演算処理をリセットする。そして、処理はステップＳ４４に進む。
【０１２６】
ステップＳ３８でＰ１検出フラグのレベルがＬレベルであると判定された場合、ステップＳ４１において、キャリア誤差補正部７４は、直前のＨレベルのＰ１検出フラグに対応する信号に対する小単位オフセット量に基づいて、遅延部７３から供給される信号のキャリアの周波数誤差を補正し、FFT演算部７５に供給する。
【０１２７】
ステップＳ４２において、FFT演算部７５は、値Ｎが設定されているかどうかを判定し、値Ｎがまだ設定されていないと判定された場合、処理はステップＳ３７に戻る。そして、Ｐ１検出フラグのレベルがＨレベルになるまで、ステップＳ３７，Ｓ３８、およびＳ４２の処理が繰り返される。
【０１２８】
ステップＳ４２において、値Ｎが設定されていると判定された場合、ステップＳ４３において、FFT演算部７５は、Ｎを１だけインクリメントし、処理をステップＳ４４に進める。
【０１２９】
ステップＳ４４において、FFT演算部７５は、値Ｎが１０２３であるかどうかを判定する。ステップＳ４４で値Ｎが１０２３ではないと判定された場合、処理はステップＳ３７に戻り、値Ｎが１０２３になるまでステップＳ３７乃至Ｓ４３の処理が繰り返される。
【０１３０】
以上のように、FFT演算部７５は、値Ｎが１０２３になるまでにＰ１検出フラグのレベルがＨレベルになる場合、FFT演算処理をリセットする。従って、プリエコーが存在するようなマルチパス環境でＰ１信号が送信されてくる場合であっても、Ｐ１信号の主波に対してFFT演算を行うことができる。
【０１３１】
ステップＳ４４で値Ｎが１０２３であると判定された場合、図１５のステップＳ４５において、FFT演算部７５は、０乃至１０２３の番号が付与された信号のＩ成分およびＱ成分に対してFFT演算を行い、その結果得られる1024個のデータの信号のＩ成分およびＱ成分をCDS相関器７６に供給する。また、FFT演算部７５は、FFT演算結果の出力開始時にシンボルスタート信号をCDS相関器７６に供給する。
【０１３２】
ステップＳ４６において、CDS相関器７６は、内蔵するメモリに記憶されている有効キャリア番号を参照して、FFT演算部７５から供給される1024個のデータの信号から384個のデータの信号を抽出する。CDS相関器７６は、シンボルスタート信号と384個のデータの信号をデコード部７７に供給する。
【０１３３】
ステップＳ４７において、CDS相関器７６は、FFT演算部７５から供給される1024個のデータの信号のＩ成分およびＱ成分の相関値を求める。
【０１３４】
ステップＳ４８において、CDS相関器７６は、相関値のピークを検出したかどうかを判定し、相関値のピークを検出したと判定した場合、処理をステップＳ４９に進める。
【０１３５】
ステップＳ４９において、CDS相関器７６は、相関値のピークに基づいて大単位オフセット量Ｆｏｆｆｓｅｔを検出し、局部発振部５３に供給する。
【０１３６】
ステップＳ５０において、局部発振部５３は、大単位オフセット量Ｆｏｆｆｓｅｔを用いて中心周波数ＦＮＣをＦＮＣ＋Ｆｏｆｆｓｅｔに変更し、Ｐ１復号化処理部５７に入力される信号のキャリアの周波数誤差を補正する。
【０１３７】
ステップＳ５１において、デコード部７７は、CDS相関器７６から供給される384個のデータの信号のＩ成分およびＱ成分に対して、復号化、DBPSK復調、並びに、Ｓ１信号およびＳ２信号の抽出処理を行う。
【０１３８】
ステップＳ５２において、デコード部７７は、Ｓ１信号およびＳ２信号を出力するとともに、イネーブルフラグを出力する。このイネーブルフラグに応じて、最大探索器７２のレジスタ１１３(図１１)の値が０にリセットされる。そして処理はステップＳ５３に進む。
【０１３９】
一方、ステップＳ４８で相関値のピークを検出していないと判定された場合、処理はステップＳ５３に進む。
【０１４０】
ステップＳ５３において、最大探索器７２は、アンテナ５１による受信が終了したか、即ち相関器７１からＩ成分およびＱ成分の相関値が入力されなくなったかどうかを判定する。ステップＳ５３でアンテナ５１による受信が終了していないと判定された場合、処理は図１４のステップＳ３７に戻り、アンテナ５１による受信が終了するまで、ステップＳ３７乃至Ｓ５３の処理が繰り返される。
【０１４１】
一方、ステップＳ５３でアンテナ５１による受信が終了したと判定された場合、処理は終了する。
【０１４２】
図１６は、図１４のステップＳ３７のＰ１検出処理を説明するフローチャートである。
【０１４３】
ステップＳ７１において、最大探索器７２のオフセット検出部１１７（図１１）は、相関器７１から供給されるＩ成分の相関値およびＱ成分の相関値が表す位相を用いて小単位オフセット量を求め、キャリア誤差補正部７４に供給する。
【０１４４】
ステップＳ７２において、絶対値演算部１１１は、相関器７１から供給されるＩ成分およびＱ成分の相関値が表すベクトルの絶対値Ｘを求め、選択部１１２並びに比較部１１４および１１５に供給する。
【０１４５】
ステップＳ７３において、比較部１１４は、絶対値演算部１１１から供給される絶対値Ｘと、レジスタ１１３から供給される現時点で最大の絶対値Ｙとを比較し、比較結果をＡＮＤ回路１１６に供給する。
【０１４６】
ステップＳ７４において、比較部１１５は、絶対値演算部１１１から供給される絶対値Ｘと、外部から入力される閾値Ｚとを比較し、比較結果をＡＮＤ回路１１６に供給する。
【０１４７】
ステップＳ７５において、ＡＮＤ回路１１６は、比較部１１４および１１５からの比較結果に基づいて、絶対値Ｘが現時点での最大の絶対値Ｙ以上であり、かつ、絶対値Ｘが閾値Ｚ以上であるかどうかを判定する。
【０１４８】
ステップＳ７５で絶対値Ｘが現時点での最大の絶対値Ｙ以上であり、かつ、絶対値Ｘが閾値Ｚ以上であると判定された場合、ステップＳ７６において、ＡＮＤ回路１１６は、Ｈレベルの信号をＰ１検出フラグとして出力する。
【０１４９】
ステップＳ７７において、選択部１１２は、絶対値演算部１１１から供給される絶対値Ｘを選択してレジスタ１１３に供給し、処理をステップＳ８０に進める。
【０１５０】
一方、ステップＳ７５で絶対値Ｘが現時点での最大の絶対値Ｙ以上ではないか、または、絶対値Ｘが閾値Ｚ以上ではないと判定された場合、ステップＳ７８において、ＡＮＤ回路１１６は、Ｌレベルの信号をＰ１検出フラグとして出力する。
【０１５１】
ステップＳ７９において、選択部１１２は、レジスタ１１３から供給される現時点での最大の絶対値Ｙを選択してレジスタ１１３に供給し、処理をステップＳ８０に進める。
【０１５２】
ステップＳ８０において、レジスタ１１３は、選択部１１２から供給される絶対値を、現時点で最大の絶対値Ｙとして記憶する。この絶対値Ｙは選択部１１２と比較部１１４に供給される。ステップＳ８０の処理後、図１４のステップＳ３７に戻り、ステップＳ３８以降の処理が行われる。
【０１５３】
以上のように、受信システム５０は、DVB-T2信号のＩ成分およびＱ成分の相関値を算出して、そのＩ成分およびＱ成分の相関値が表すベクトルの絶対値の現時点での最大値を検出し、最大値が検出されるたびに、DVB-T2信号のＩ成分およびＱ成分を用いたFFT演算処理をリセットするので、相関値がDVB-T2信号内で最大となる位置をＰ１信号の検出位置としてＰ１信号を検出し、復号化することができる。
【０１５４】
[最大相関器の他の詳細構成例]
図１７は、最大相関器７２の他の詳細構成例を示すブロック図である。
【０１５５】
図１７に示す構成のうち、図１１の構成と同じ構成には同じ符号を付してある。重複する説明については適宜省略する。
【０１５６】
図１７の最大相関器７２の構成は、主に、選択部１１２、レジスタ１１３、比較部１１４、およびＡＮＤ回路１１６が設けられていない点、および、比較部１１５の代わりに比較部１３１が設けられている点が図１１の構成と異なる。
【０１５７】
比較部１３１は、絶対値演算部１１１から供給される絶対値Ｘと、基準値としての閾値Ｒを比較する。そして、比較部１３１は、絶対値Ｘが閾値Ｒ以上である場合、絶対値Ｘを現時点での最大値と判定し、Ｈレベルの信号をＰ１検出フラグとして出力する。一方、絶対値Ｘが閾値Ｒより小さい場合、比較部１３１は、絶対値Ｘが現時点での最大値ではないと判定し、Ｌレベルの信号をＰ１検出フラグとして出力する。
【０１５８】
最大相関器７２の構成が図１７に示す構成である場合、図１１に示す構成である場合に比べて構成および処理を簡略化することができる。
【０１５９】
＜第２実施の形態＞
［受信システムの第２実施の形態の構成例］
図１８は、本発明を適用した受信システムの第２実施の形態の構成例を示すブロック図である。
【０１６０】
図１８に示す構成のうち、図６の構成と同じ構成には同じ符号を付してある。重複する説明については適宜省略する。
【０１６１】
図１８の受信システム１５０の構成は、主に、出力部５９の代わりに記録制御部１５１および記録部１５２が設けられている点が図６の構成と異なる。受信システム１５０は、データ信号に対応する画像や音声を出力せず、データ信号を記録する。
【０１６２】
詳細には、記録制御部１５１は、データ復号化処理部５８から出力されるデータ信号を記録部１５２に記録させる。記録部１５２は、ハードディスク、または、磁気ディスク、光ディスク、光磁気ディスク、半導体メモリなどのリムーバブルメディアにより構成される。
【０１６３】
なお、放送信号はIP-TV放送の放送信号であってもよい。この場合、送信システム１０および受信システム５０（１５０）では、DVB-T2信号の送受信用にネットワークインターフェースが設けられ、伝送路としてインターネットが用いられる。また、放送信号は、CATV放送の放送信号であってもよい。この場合、送信システム１０および受信システム５０（１５０）では、DVB-T2信号の送受信用にケーブルが接続された端子が設けられ、伝送路としてケーブルが用いられる。
【０１６４】
ところで、上述した一連の処理は、ハードウエアにより実行させることもできるが、ソフトウエアにより実行させることができる。
【０１６５】
この場合、上述した受信システムの少なくとも一部として、例えば、図１９に示すパーソナルコンピュータを採用してもよい。
【０１６６】
図１９において、CPU（Central Processing Unit）２０１は、ROM（Read Only Memory）２０２に記録されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【０１６７】
CPU２０１、ROM２０２、およびRAM２０３は、バス２０４を介して相互に接続されている。このバス２０４にはまた、入出力インタフェース２０５も接続されている。
【０１６８】
入出力インタフェース２０５には、キーボード、マウスなどよりなる入力部２０６、ディスプレイなどよりなる出力部２０７、ハードディスクなどより構成される記憶部２０８、および、モデム、ターミナルアダプタなどより構成される通信部２０９が接続されている。通信部２０９は、インターネットを含むネットワークを介して他の装置（図示せず）との間で行う通信を制御する。
【０１６９】
入出力インタフェース２０５にはまた、必要に応じてドライブ２１０が接続され、磁気ディスク、光ディスク、光磁気ディスク、或いは半導体メモリなどよりなるリムーバブルメディア２１１が適宜装着され、それらから読み出されたコンピュータプログラムが、必要に応じて記憶部２０８にインストールされる。
【０１７０】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１７１】
このようなプログラムを含む記録媒体は、図１９に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)，ブルーレイディスクを含む）、光磁気ディスク（ＭＤ（Mini-Disk）を含む）、もしくは半導体メモリなどよりなるリムーバブルメディア（パッケージメディア）２１１により構成されるだけでなく、装置本体に予め組み込まれた状態でユーザに提供される、プログラムが記録されているROM２０２や、記憶部２０８に含まれるハードディスクなどで構成される。
【０１７２】
本明細書において、記録媒体に記録されるプログラムを記述するステップは、その順序
に沿って時系列的に行われる処理はもちろん、必ずしも時系列的に処理されなくとも、並
列的あるいは個別に実行される処理をも含むものである。
【０１７３】
また、本発明の実施の形態は、上述した実施の形態に限定されるものではなく、本発明
の要旨を逸脱しない範囲において種々の変更が可能である。
【符号の説明】
【０１７４】
５０  受信システム、  ５１  アンテナ、  ５７  Ｐ１復号化処理部、  ５９  出力部、  ７１  相関器、  ７２  最大探索器、  ７５  FFT演算部、  ７７  デコード部、  １１３  レジスタ、  １５０  受信システム、  １５１  記録制御部
【図１】
2010283572.tif 000003
【図２】
2010283572.tif 000004
【図３】
2010283572.tif 000005
【図４】
2010283572.tif 000006
【図５】
2010283572.tif 000007
【図６】
2010283572.tif 000008
【図７】
2010283572.tif 000009
【図８】
2010283572.tif 000010
【図９】
2010283572.tif 000011
【図１０】
2010283572.tif 000012
【図１１】
2010283572.tif 000013
【図１２】
2010283572.tif 000014
【図１３】
2010283572.tif 000015
【図１４】
2010283572.tif 000016
【図１５】
2010283572.tif 000017
【図１６】
2010283572.tif 000018
【図１７】
2010283572.tif 000019
【図１８】
2010283572.tif 000020
【図１９】
2010283572.tif 000021